(57)【要約】【課題】螺旋状の発光管とピン端子式口金を有する片口金蛍光ランプにおいて、ランプのランプソケットへの装着操作の容易性を図る。【解決手段】片口金蛍光ランプ１は、ガラス管が旋回軸Ｃの廻りに螺旋状に形成された発光管１１と、複数の通電用のランプピン１４を有する口金１２とを備えている。口金１２の側面には、ガイドとなる回転部１３が突出形成され、回転部１３を結んだ回転軸Ａは、旋回軸Ｃと垂直な平面上にあり、ランプピン１４を結ぶ直線は、回転軸Ａと平行方向に一直線上にある。ランプ１を、その装着状態の旋回軸Ｃから傾けた軸上からランプソケット２に挿入すると（矢印Ｉ）、回転部１３は回転軸受け２５に位置する。次に、ランプ１を側面側から押すようにして、回転軸Ａを中心に回動操作すると（矢印ＩＩ）、ランプピン１４がそれぞれランプピン保持部３２に挟み込まれて保持され、ランプ装着完了位置になる。【選択図】図４
2007173103.tif 000002
【特許請求の範囲】
【請求項１】
ガラス管が旋回軸廻りに螺旋状に形成された発光管と複数のピン端子を有する口金とを備えた片口金蛍光ランプが装着され、前記ピン端子とそれぞれ接触する複数の接触金具を備えたランプソケットであって、
前記片口金蛍光ランプが、その装着状態の旋回軸から傾けた軸上から挿入され、旋回軸と垂直な平面上にある回転軸を中心に回動操作されることによって、ランプ装着完了位置になると共に、前記ピン端子がそれぞれ前記接触金具で保持されることを特徴とするランプソケット。
【請求項２】
請求項１に記載のランプソケットに装着される片口金蛍光ランプであって、
前記複数のピン端子のそれぞれは、口金から前記旋回軸方向に突出して形成され、該複数のピン端子の並びを、前記片口金蛍光ランプの回転軸と平行方向かつ、一直線上にしたことを特徴とする片口金蛍光ランプ。
【請求項３】
前記旋回軸、前記ピン端子を結ぶ直線、及び前記片口金蛍光ランプの回転軸が、同一平面上にあることを特徴とする請求項２に記載の片口金蛍光ランプ。
【請求項４】
ガラス管が旋回軸廻りに螺旋状に形成された発光管と複数のピン端子を有する口金とを備えた片口金蛍光ランプと、
前記片口金蛍光ランプが装着され、前記ピン端子とそれぞれ接触する複数の接触金具を備えたランプソケットと、を備える照明器具であって、
前記片口金蛍光ランプが、その装着状態の旋回軸から傾けた軸上から前記ランプソケットに挿入され、旋回軸と垂直な平面上にある回転軸を中心に回動操作されることによって、ランプ装着完了位置になると共に、前記ピン端子がそれぞれ前記接触金具で保持されることを特徴とする照明器具。
【発明の詳細な説明】
【技術分野】
【０００１】
本発明は、螺旋状の発光管を有する片口金蛍光ランプを保持するランプソケット、片口金蛍光ランプ、及び照明器具に関する。
【背景技術】
【０００２】
従来から、電球形蛍光ランプは内部に点灯回路を有しており、白熱ランプの代替として使用するため、口金にはねじ込み式のものを採用していた。しかし、電球型蛍光ランプの小型化、機能向上、及び長寿命化等を図るために、点灯回路が別置の片口金蛍光ランプとしたとき、口金は４極必要となり、ピン端子式のものにする必要がある。
【０００３】
また、螺旋状の発光管は、ランプ装着のために回転動作をさせるときに、通常のＦＰＬやＦＤＬなどの片口金蛍光ランプに比べて、指を引っ掛ける形状をバルブに設けることが困難であることから、作業者の指との摩擦が小さくなる。そのため、ランプ装着のために、回転動作をさせる場合、操作性が悪いことがある。
【０００４】
ところで、片口金蛍光灯用ソケットにおいて、ソケットに設けられたランプ挿入方向溝と、それに直交する溝とが設けられ、ランプには側部に被係止突起が設けられ、ランプの被係止突起を挿入方向溝に挿入した後に、挿入方向を旋回軸としてランプを回動することにより、ランプを装着するものが知られている（例えば、特許文献１参照）。この片口金蛍光灯用ソケットは、ランプ装着のためにランプを旋回軸廻りに回動操作をしなければならないが、ランプの発光管が螺旋状の場合、作業者の指との摩擦が小さいため、操作性が悪いことがある。
【特許文献１】特開２００１−９３６３１号公報
【発明の開示】
【発明が解決しようとする課題】
【０００５】
本発明は、上述した問題点を解決するためになされたものであり、螺旋状の発光管とピン端子式口金を有するランプであっても、ランプ装着時における操作の容易性を得ることができる片口金蛍光ランプを保持するランプソケット、片口金蛍光ランプ、及び照明器具を提供することを目的とする。
【課題を解決するための手段】
【０００６】
上記目的を達成するために請求項１の発明は、ガラス管が旋回軸廻りに螺旋状に形成された発光管と複数のピン端子を有する口金とを備えた片口金蛍光ランプが装着され、前記ピン端子とそれぞれ接触する複数の接触金具を備えたランプソケットであって、前記片口金蛍光ランプが、その装着状態の旋回軸から傾けた軸上から挿入され、旋回軸と垂直な平面上にある回転軸を中心に回動操作されることによって、ランプ装着完了位置になると共に、前記ピン端子がそれぞれ前記接触金具で保持されるものである。
【０００７】
請求項２に記載の発明は、請求項１に記載のランプソケットに装着される片口金蛍光ランプであって、前記複数のピン端子のそれぞれは、口金から前記旋回軸方向に突出して形成され、該複数のピン端子の並びを、前記片口金蛍光ランプの回転軸と平行方向かつ、一直線上にしたものである。
【０００８】
請求項３に記載の発明は、前記旋回軸、前記ピン端子を結ぶ直線、及び前記片口金蛍光ランプの回転軸が、同一平面上にあるものである。
【０００９】
請求項４に記載の発明は、ガラス管が旋回軸廻りに螺旋状に形成された発光管と複数のピン端子を有する口金とを備えた片口金蛍光ランプと、前記片口金蛍光ランプが装着され、前記ピン端子とそれぞれ接触する複数の接触金具を備えたランプソケットと、を備える照明器具であって、前記片口金蛍光ランプが、その装着状態の旋回軸から傾けた軸上から前記ランプソケットに挿入され、旋回軸と垂直な平面上にある回転軸を中心に回動操作されることによって、ランプ装着完了位置になると共に、前記ピン端子がそれぞれ前記接触金具で保持されるものである。
【発明の効果】
【００１０】
請求項１及び請求項４の発明によれば、ランプを、旋回軸廻りに回転操作することなく、旋回軸と垂直な回転軸廻りに回転操作する。すなわち、ランプの発光管を側面側から押す操作で、ランプをソケットに装着することができるので、螺旋状の発光管しか掴めず、旋回軸廻りにトルクを与えにくい場合であっても、作業者がランプをしっかり掴んで装着する必要がなく、ランプを容易に装着することができる。
【００１１】
請求項２の発明によれば、ピン端子の回転軸方向に対しての絶縁距離を考慮する必要がないので、ピン端子が接触金具に保持されるまでの回動操作による回動角度を自由に設定できる。さらには、ランプソケットをダウンライトに適用した場合、ランプを垂直取り付けするタイプでは、回動角度を小さく、ランプを水平取り付けするタイプでは、回動角度を大きく設定することにより、ランプを容易に装着することができる。
【００１２】
請求項３の発明によれば、ランプに口金に方向性がなくなるため、ランプの挿入操作が容易となる。
【発明を実施するための最良の形態】
【００１３】
以下、本発明の一実施形態に係る片口金蛍光ランプ、及び同ランプを保持するランプソケットについて、図面を参照して説明する。図１は、片口金蛍光ランプ１を示し、図２は、片口金蛍光ランプ１がランプソケット２に装着された照明器具を示し、図３は、片口金蛍光ランプ１及びランプソケット２の分解状態を示す。図４は、片口金蛍光ランプ１をランプソケット２に挿入した状態、及び装着が完了した状態を示し、図５は、片口金蛍光ランプ１のランプピン１４をランプピン保持部３２に装着する動作を示す。
【００１４】
片口金蛍光ランプ１（以下、ランプという）は、ガラス管が旋回軸Ｃの廻りに螺旋状に形成された発光管１１と、複数本（本例では４本）の通電用のランプピン（ピン端子）１４を有する口金１２とを備えている。発光管１１は、内表面には蛍光物質が塗布され、内部には水銀と緩衝ガスとしてアルゴン等が封入されている。口金１２の上面には、ランプ１が嵌装され、口金１２の底面には、複数本のランプピン１４がそれぞれ旋回軸Ｃ方向に突出して形成されている。口金１２の側面には、ランプソケット２への挿入時のガイドとなる回転部１３が突出している。回転部１３を結んだ回転軸Ａは、旋回軸Ｃと垂直な平面上にある。ランプピン１４を結ぶ直線Ｂは、回転部１３を結んだ回転軸Ａと平行方向に、一直線上にある。また、旋回軸Ｃ、ランプピン１４を結ぶ直線Ｂ、及び回転軸Ａは同一平面上にある。
【００１５】
ランプソケット２は、ソケット本体２１と、カバー２３とを備え、ソケット本体２１には、ランプ１の回転部１３を挿入するための挿入溝２４と、挿入された回転部１３を受け入れる回転軸受け２５と、給電のための電線４を挿入する電線挿入穴２２が設けられている。ランプソケット２の内部には、４個のそれぞれ独立した導電板３が設けられている。導電板３には、ランプピン１４を保持するランプピン保持部３２、及び電線４が接続される速結端子３１が形成されている。カバー２３をソケット本体２１に取り付けることにより導電板３を覆っている。各ランプピン保持部３２は、後述する図４に示されるように、一対の対向した切り起こし片から成る弾性板ばねにより構成され、この対向する弾性板ばね間に、それぞれランプピン１４が圧入されることにより、電気的導電と機械的保持がなされる。なお、ランプ１をランプソケット２に挿入したとき、回転軸受け２５の回転軸Ｄとランプ１の回転軸Ａとは同軸となる。なお、ランプソケット２の内部には、従来のように、点灯回路が設けられていない。
【００１６】
次に、ランプ１をランプソケット２に装着する手順について、図４及び図５を参照して説明する。ここで、ランプ１を挿入した状態を実線で示し、装着完了状態を二点鎖線で示す。
【００１７】
まず、ランプ１を、装着完了状態の旋回軸Ｃから傾けた軸上からランプソケット２に挿入する（矢印Ｉ）。このとき、回転部１３は、挿入溝２４を通り、回転軸受け２５に位置する。次に、ランプ１を、回転軸Ａを中心に回動操作する（矢印ＩＩ）。このとき、ランプピン１４がそれぞれランプピン保持部３２に挟み込まれて保持され、ランプ装着完了位置になる。
【００１８】
上記実施形態においては、ランプ１をランプソケット２に装着するときに、ランプ１を側方から押すようにして移動させればよく、螺旋状の発光管１１しか掴めず、旋回軸廻りにトルクを与えにくい場合であっても、作業者がランプ１をしっかり掴んで装着する必要がないため、ランプ１をランプソケット２に容易に装着することができる。また、指を入れる空間を発光管１１に設ける必要がないため、ランプ１を小型化することができ、このランプ１を備えた照明器具を小型化することができる。
【００１９】
また、ランプピン１４は、ランプ１の回転軸Ａと平行方向に位置しているため、回転軸Ａ方向に対しての絶縁距離を考慮する必要がないので、ランプ１をランプソケット２に挿入してから、装着完了するまでのランプ１の回動操作による回動角度を自由に設定することができる。また、回転軸Ａ方向にランプピン１４が並ぶ場合、ランプピン１４の回動を導電板３が邪魔をすることにより、回動角度を小さくすることができる。そのため、ランプ１及びランプソケット２をダウンライトなどに適用した場合、ランプ１を垂直に取り付けるタイプでは回動角度を小さく、ランプ１を水平に取り付けるタイプでは回動角度を大きく設定することにより、ランプ１をランプソケット２に容易に装着することができる。
【００２０】
また、旋回軸Ｃ、ランプピン１４を結ぶ直線Ｂ、及び回転軸Ａは同一平面上にあるので、旋回軸Ｃを中心にランプ１を半回転させた場合であっても、ランプピン１４を結ぶ直線Ｂ、及び回転軸Ａは、半回転させる前と同一平面上に位置する。そのため、ランプ１をランプソケット２に装着する場合、ランプ１の方向性がなくなるため、ランプ１の挿入操作が容易となる。なお、本発明は、上記実施形態の構成に限られず、発明の趣旨を変更しない範囲で種々の変形が可能である。
【図面の簡単な説明】
【００２１】
【図１】本発明の一実施形態に係る片口金蛍光ランプの傾斜図。
【図２】同上ランプをランプソケットに装着した状態の照明器具の傾斜図。
【図３】同上ランプ及びランプソケットの分解傾斜図。
【図４】同上ランプをランプソケットに装着する動作を説明する側断面図。
【図５】同上ランプのランプピンをランプピン保持部に取り付ける動作の説明図。
【符号の説明】
【００２２】
１  ランプ（片口金蛍光ランプ）
１１  発光管
１２  口金
１３  回転部
１４  ランプピン（ピン端子）
２  ランプソケット
２１  ソケット本体
２２  電線挿入穴
２３  カバー
２４  回転軸受け
２５  挿入溝
３  導電板
３１  速結端子
３２  ランプピン保持部
４  電線
【図１】
2007173103.tif 000003
【図２】
2007173103.tif 000004
【図３】
2007173103.tif 000005
【図４】
2007173103.tif 000006
【図５】
2007173103.tif 000007